(57)【要約】【課題】非使用時における電力の無駄な消費を確実に防止し得るプロジェクタを提供する。【解決手段】投写部１３と、外部からの電力が供給されている状態においてリモコン３の電源キー操作に応じて投写部１３のランプ１３ａに対する電力の供給開始および供給停止を制御すると共に、所定モードに設定された状態において外部からの電力の供給が開始された時点でランプ１３ａに対する電力の供給を開始する制御部１８とを備え、制御部１８は、所定モードが設定されている状態においてランプ１３ａに対する電力の供給を開始した時点から所定時間以内にリモコン３における所定のキー操作がされないときに電力の供給を停止する停止処理を実行する。【選択図】図１
2009098242.tif 000002
【特許請求の範囲】
【請求項１】
画像を投写する投写部と、外部からの電力が供給されている状態において操作部の電源キー操作に応じて前記投写部の光源に対する電力の供給開始および供給停止を制御すると共に、所定モードに設定された状態において前記外部からの電力の供給が開始された時点で前記光源に対する前記電力の供給を開始する制御部とを備えたプロジェクタであって、
前記制御部は、前記所定モードが設定されている状態において前記光源に対する前記電力の供給を開始した時点から所定時間以内に前記操作部における所定のキー操作がされないときに当該電力の供給を停止する停止処理を実行するプロジェクタ。
【請求項２】
前記制御部は、前記所定モードが設定されている状態において前記光源に対する前記電力の供給を開始したときに、前記停止処理に関する案内画像を前記投写部に投写させる請求項１記載のプロジェクタ。
【請求項３】
前記制御部は、前記案内画像を投写させている状態において前記所定モードの設定解除用のキー操作がされたときに当該所定モードの設定を解除する請求項２記載のプロジェクタ。
【請求項４】
プロジェクタに対して外部からの電力が供給されている状態において操作部の電源キー操作に応じて前記プロジェクタにおける投写部の光源に対する電力の供給開始および供給停止を制御すると共に、所定モードに設定された状態において前記外部からの電力の供給が開始された時点で前記光源に対する前記電力の供給を開始する電力供給制御方法であって、
前記所定モードが設定されている状態において前記光源に対する前記電力の供給を開始した時点から所定時間以内に前記操作部における所定のキー操作がされないときに当該電力の供給を停止する停止処理を実行する電力供給制御方法。
【発明の詳細な説明】
【技術分野】
【０００１】
本発明は、操作部の電源キー操作および外部からの電力の供給開始に応じて投写部の光源に対する電力の供給開始および供給停止を制御するプロジェクタおよび電力供給制御方法に関するものである。
【背景技術】
【０００２】
一般的に、プロジェクタでは、メイン電源スイッチをオン状態にして外部からの電力（商用電力）の供給がされている状態（スタンバイ状態）においてリモコン等の操作部の電源キーを操作したときにランプに対する電力の供給が開始される。一方、会議室やパーティ会場の天井等に取り付けられる据え付けタイプの大形プロジェクタは、省エネルギー等の観点から、壁面等に配置されたメイン電源スイッチがオン操作（外部からの電力の供給開始）された時点でランプに対する電力の供給が開始されるダイレクトパワーオン機能を備えている。この場合、ダイレクトパワーオン機能を備えたこの種のプロジェクタでは、例えば無人の状態で停電などによって電力の供給が停止した後に供給が再開されたときには、非使用状態であるにも拘わらず、ランプに対する電力の供給が開始されて、却って電力が無駄に消費されるという不都合が生じる。このような不都合を解消可能な技術として、特開２００７−７２３２２号公報に開示された画像表示装置が知られている。この画像表示装置では、ＡＣオンスタート機能（ダイレクトパワーオン機能）が有効でかつランプに電力が供給されている状態において、外部からの信号の入力が停止している状態が所定時間継続したときに、自動的にランプに対する電力の供給が停止されてランプが消灯する。
【特許文献１】特開２００７−７２３２２号公報（第６−７頁、第６図）
【発明の開示】
【発明が解決しようとする課題】
【０００３】
ところが、従来の画像表示装置には、以下の問題点がある。すなわち、この画像表示装置では、外部からの信号の入力の有無に基づいてランプに対する電力の供給停止を制御している。しかしながら、ビデオチューナーのように、信号を常時出力している外部機器がこの画像表示装置に接続されているときには、ランプに対する電力の供給が停止されないこととなる。したがって、この画像表示装置には、電力の無駄な消費を確実に防止することが依然として困難であるという問題点が存在する。
【０００４】
本発明は、かかる問題点に鑑みてなされたものであり、非使用時における電力の無駄な消費を確実に防止し得るプロジェクタおよび電力供給制御方法を提供することを主目的とする。
【課題を解決するための手段】
【０００５】
上記目的を達成すべく本発明に係るプロジェクタは、画像を投写する投写部と、外部からの電力が供給されている状態において操作部の電源キー操作に応じて前記投写部の光源に対する電力の供給開始および供給停止を制御すると共に、所定モードに設定された状態において前記外部からの電力の供給が開始された時点で前記光源に対する前記電力の供給を開始する制御部とを備えたプロジェクタであって、前記制御部は、前記所定モードが設定されている状態において前記光源に対する前記電力の供給を開始した時点から所定時間以内に前記操作部における所定のキー操作がされないときに当該電力の供給を停止する停止処理を実行する。
【０００６】
また、本発明に係る電力供給制御方法は、プロジェクタに対して外部からの電力が供給されている状態において操作部の電源キー操作に応じて前記プロジェクタにおける投写部の光源に対する電力の供給開始および供給停止を制御すると共に、所定モードに設定された状態において前記外部からの電力の供給が開始された時点で前記光源に対する前記電力の供給を開始する電力供給制御方法であって、前記所定モードが設定されている状態において前記光源に対する前記電力の供給を開始した時点から所定時間以内に前記操作部における所定のキー操作がされないときに当該電力の供給を停止する停止処理を実行する。
【０００７】
このプロジェクタおよび電力供給制御方法によれば、所定モードに設定された状態において光源に対する電力の供給を開始した時点から所定時間以内に操作部における所定のキー操作がされないときに光源に対する電力の供給を停止する停止処理を実行することにより、非使用時において光源に電力が供給され続ける事態を確実に防止することができる結果、電力の無駄な消費を確実に防止することができる。また、このプロジェクタおよび電力供給制御方法によれば、操作部のキー操作の有無に基づいて電力の供給継続および供給停止を制御することにより、外部からの信号の入力有無に基づいてランプに対する電力の供給継続および供給停止を制御している従来の画像表示装置とは異なり、外部からの信号の入力有無に拘わらず（外部装置から信号が常時出力されているとしても）、非使用時における光源に対する電力の供給を確実に停止することができる。
【０００８】
また、本発明に係るプロジェクタは、上記のプロジェクタにおいて、前記制御部は、前記所定モードが設定されている状態において前記光源に対する前記電力の供給を開始したときに、前記停止処理に関する案内画像を前記投写部に投写させる。
【０００９】
このプロジェクタによれば、所定モードが設定されている状態において光源に対する電力の供給を開始したときに、制御部が停止処理に関する案内画像（例えば、所定の操作を行わない場合に停止処理を実行する旨を案内する画像）を投写部に投写させることにより、プロジェクタの使用を意図して電源を投入したにも拘わらず、所定時間が経過した時点でユーザーの意に反して光源に対する電力の供給が停止する事態を確実に防止することができる。
【００１０】
また、本発明に係るプロジェクタは、上記のプロジェクタにおいて、前記制御部は、前記案内画像を投写させている状態において前記所定モードの設定解除用のキー操作がされたときに当該所定モードの設定を解除する。
【００１１】
このプロジェクタによれば、案内画像を投写させている状態において設定解除用のキー操作がされたときに制御部が所定モードの設定を解除するこれにより、例えば、外部からの電力の供給が開始された時点で光源に対する電力の供給を開始する機能を停止させたいときには、メニュー画像を投写させて設定する煩雑な操作を行うことなく、設定解除用のキー操作だけで所定モードの設定の解除と光源に対する電力の供給継続とを同時に行うことができる。
【発明を実施するための最良の形態】
【００１２】
以下、本発明に係るプロジェクタおよび電力供給制御方法の最良の形態について、添付図面を参照して説明する。図１，２に示すプロジェクタ１は、本発明に係るプロジェクタの一例であって、本体部２およびリモコン３を備えて構成されている。また、プロジェクタ１は、一例として、据え付けタイプの大形のプロジェクタであって、図２に示すように、固定器具２ａを用いて本体部２を会議室ＣＲの天井などに固定可能に構成されている。本体部２は、図１に示すように、信号入力部１１、信号処理部１２、投写部１３、記憶部１４、タイマ１５、キー入力処理部１６、電源部１７および制御部１８を備えて構成されている。なお、プロジェクタ１は、実際には、音声出力部を備えているが、本発明の理解を容易とするため、その図示および説明を省略する。
【００１３】
信号入力部１１は、外部機器（一例として、図１に示すパソコン２００やチューナ３００）から出力されたソース信号Ｓ１を入力して制御部１８を介して信号処理部１２に転送する。信号処理部１２は、信号入力部１１によって転送されたソース信号Ｓ１を画像データＤｇに変換して出力する。投写部１３は、ランプ１３ａ（本発明における光源）、図外の光変調素子（一例として、液晶ライトバルブやＤＭＤ（Digital Micromirror Device：ＤＭＤは米国テキサスインスツルメンツ社の商標である））、および図外の投写レンズを備えて構成されている。この場合、投写部１３は、制御部１８の制御に従い、ランプ１３ａからの光を光変調した投写光Ｌ（図２参照）を出力することにより、同図に示すソース画像Ｇ１や、図４に示すメッセージ画像Ｇ２（本発明における案内画像）などの各種画像をスクリーン１００（図２参照）に投写する。
【００１４】
記憶部１４は、制御部１８の制御に従い、投写部１３のランプ１３ａに対する電力供給制御モードを示すモードデータＤｍを記憶する。ここで、このプロジェクタ１では、ダイレクトパワーオンモード（以下、「ＤＰＯモード」ともいう）、および通常モードの２つの電力供給制御モードを切り替えることが可能となっている。この場合、ＤＰＯモードが、本発明における所定モードに相当し、このＤＰＯモードに設定されている状態では、プロジェクタ１に対する商用電力（本発明における外部からの電力）の供給開始および供給停止を切り替えるメイン電源スイッチ１９（図２参照）がオン操作されてプロジェクタ１に対する商用電力の供給が開始された時点で、投写部１３のランプ１３ａに対する電力の供給が開始される。一方、通常モードは、ＤＰＯモードが解除されているモードであって、この通常モードに設定されている状態では、メイン電源スイッチ１９がオン操作されただけではランプ１３ａに対する電力の供給が開始されず、メイン電源スイッチ１９がオン操作されてプロジェクタ１に対して商用電力が供給されている状態において、後述するリモコン３（本発明における操作部）の電源キー３１がオン操作されたときにランプ１３ａに対する電力の供給が開始される。
【００１５】
タイマ１５は、制御部１８によって実行される電力供給処理５０において用いられるタイマ信号Ｓ４を出力する。キー入力処理部１６は、リモコン３から出力される赤外線信号Ｓ２を受光してリモコン３の各キーに対応する操作信号Ｓ３を出力する。電源部１７は、制御部１８の制御に従って投写部１３のランプ１３ａに電力を供給する。制御部１８は、プロジェクタ１を構成する各構成要素を制御する。また、制御部１８は、図３に示す電力供給処理５０を実行することにより、本発明に係る電力供給制御方法に従って投写部１３のランプ１３ａに対する電源部１７による電力の供給を制御する。
【００１６】
リモコン３は、図２に示すように、電源キー３１、ジョグキー３２、メニューキー３３および解除キー３４（本発明における設定解除用のキー）などの各種キーを備えて構成され、これらが操作されたときに各キーに対応する赤外線信号Ｓ２を出力する。
【００１７】
次に、プロジェクタ１の使用方法の一例、およびその際のプロジェクタ１の動作について、図面を参照して説明する。この場合、プロジェクタ１にはケーブルを介してチューナ３００が接続されて、このチューナ３００からは、ソース信号Ｓ１が常時出力されているものとする。また、初期状態においては、プロジェクタ１は通常モードに設定されているものとする。
【００１８】
例えば、図２に示す会議室ＣＲにおける会議の開催に当たって会議室ＣＲの天井に据え付けられているプロジェクタ１を用いるときには、まず、会議室ＣＲの壁面に配設されているメイン電源スイッチ１９をオン操作する。この際に、プロジェクタ１（電源部１７）に対する商用電力の供給が開始される。これに伴い、プロジェクタ１の制御部１８は、図３に示す電力供給処理５０を実行する。この電力供給処理５０では、制御部１８は、記憶部１４からモードデータＤｍを読み出して（ステップ５１）、この時点において設定されている電力供給制御モードをモードデータＤｍに基づいて特定する。次いで、制御部１８は、プロジェクタ１がＤＰＯモードに設定されているか否かを判別する（ステップ５２）。この場合、この時点においてプロジェクタ１が通常モードに設定されているため、制御部１８は、投写部１３のランプ１３ａに電力が供給されないスタンバイ状態にプロジェクタ１を移行させて（ステップ５３）、この電力供給処理５０を終了する。
【００１９】
続いて、リモコン３の電源キー３１を操作する。この際に、リモコン３が電源キー３１に対応する赤外線信号Ｓ２を出力し、次いで、キー入力処理部１６が赤外線信号Ｓ２を受光して電源キー３１に対応する操作信号Ｓ３を出力する。続いて、制御部１８が、操作信号Ｓ３に従って電源部１７を制御して投写部１３のランプ１３ａに対する電力の供給を開始させる。これに応じて、ランプ１３ａが点灯する。
【００２０】
次に、例えば、パソコン２００に記録されている説明用の画像を投写するときには、パソコン２００とプロジェクタ１とを無線ＬＡＮ等を介して接続した後に、パソコン２００を操作して、説明用の画像のデータを呼び出す。この際に、その画像についてのソース信号Ｓ１がパソコン２００から出力され、プロジェクタ１の信号入力部１１が、ソース信号Ｓ１を入力して制御部１８を介して信号処理部１２に転送する。次いで、信号処理部１２が、転送されたソース信号Ｓ１を画像データＤｇに変換して投写部１３に出力する。続いて、投写部１３が、ランプ１３ａからの光を画像データＤｇに基づいて光変調した投写光Ｌを出力する。これにより、図２に示すように、ソース信号Ｓ１に基づくソース画像Ｇ１がスクリーン１００に投写される。
【００２１】
次いで、ソース画像Ｇ１の投写を終了するときには、パソコン２００を操作して、ソース信号Ｓ１の出力を停止させると共に、リモコン３の電源キー３１を操作して投写部１３のランプ１３ａに対する電力の供給を停止させる。ここで、このプロジェクタ１には、ＤＰＯモードに設定することで、メイン電源スイッチ１９のオン操作と同時にランプ１３ａを点灯させる機能が備えられている。この場合、次回のプロジェクタ１の使用時にこの機能を用いるときには、電源キー３１の操作（ランプ１３ａに対する電力の供給停止）に先立ち、プロジェクタ１をＤＰＯモードに設定する。具体的には、まず、リモコン３のメニューキー３３を操作する。この際に、制御部１８は、キー入力処理部１６から出力された操作信号Ｓ３に従い、投写部１３に対してメニュー画像（図示せず）を投写させる。
【００２２】
続いて、メニュー画像の案内に従ってリモコン３を操作することにより、ＤＰＯモードを選択する。この際に、制御部１８は、キー入力処理部１６から出力された操作信号Ｓ３に基づき、電力供給制御モードがＤＰＯモードに設定された旨を示すモードデータＤｍを記憶部１４に記憶させる。これにより、プロジェクタ１がＤＰＯモードに設定される。次いで、上記したように電源キー３１を操作する。この際に、制御部１８は、電源部１７を制御してランプ１３ａに対する電力の供給を停止させてプロジェクタ１をスタンバイ状態に移行させる。続いて、会議が終了して会議室を退室するときには、メイン電源スイッチ１９をオフ操作する。これにより、プロジェクタ１に対する商用電力の供給が停止されて、プロジェクタ１のスタンバイ状態も解除される。
【００２３】
一方、例えば、プロジェクタ１をＤＰＯモードに設定してスタンバイ状態に移行させた後に、メイン電源スイッチ１９をオフ操作することなく（オン操作されたままの状態で）使用者が退室して会議室ＣＲが無人の状態となり、その後に停電が発生したときには、プロジェクタ１に対する商用電力の供給が停止されて、スタンバイ状態も解除される。ここで、停電が復旧したときには、メイン電源スイッチ１９がオン操作されたままの状態であるため、プロジェクタ１に対する商用電力の供給が再開（開始）される。これに伴い、プロジェクタ１の制御部１８は、上記した電力供給処理５０を実行する。
【００２４】
この場合、制御部１８は、モードデータＤｍを読み出して（ステップ５１）、この時点で設定されている電力供給制御モードを特定する。次いで、制御部１８は、プロジェクタ１がＤＰＯモードに設定されているか否かを判別する（ステップ５２）。この場合、この時点でプロジェクタ１がＤＰＯモードに設定されているため、制御部１８は、その旨を判別して、続いて、電源部１７を制御して、ランプ１３ａに対する電力の供給を開始させる（ステップ５４）。次いで、制御部１８は、投写部１３を制御して、図４に示すメッセージ画像Ｇ２を投写させる（ステップ５５）。この場合、メッセージ画像Ｇ２は、リモコン３における電源キー３１以外のいずれかのキーが操作されないときには、ランプ１３ａに対する電力の供給を停止する（停止処理を実行する）旨を示す案内画像（停止処理に関する案内画像の一例）と、この時点で設定されているＤＰＯモードを解除方法に関する案内画像とで構成されている。
【００２５】
続いて、制御部１８は、タイマ１５をスタートさせる（ステップ５６）。これに応じて、タイマ１５が、時間経過を示すタイマ信号Ｓ４を制御部１８に出力する。次いで、制御部１８は、リモコン３における電源キー３１以外のいずれかのキーが操作（本発明における所定のキー操作）されたか否かを判別し（ステップ５７）、いずれのキーも操作されていないと判別したときには、タイマ信号Ｓ４に基づいてタイマ１５をスタートさせた時点から所定の時間Ｔ（一例として、１０分）が経過したか否かを判別する（ステップ５８）。続いて、制御部１８は、時間Ｔが経過するまで、ステップ５７，５８を繰り返して実行する。
【００２６】
この場合、会議室ＣＲが無人の状態で、時間Ｔ以内にいずれのキーも操作されないときには、制御部１８は、ステップ５８において時間Ｔが経過したと判別して、電源部１７を制御してランプ１３ａに対する電力の供給を停止させる（ステップ５９）。次いで、制御部１８は、プロジェクタ１をスタンバイ状態に移行させて（ステップ５３）、この電力供給処理５０を終了する。この場合、信号の入力の有無に基づいてランプに対する電力の供給継続および供給停止を制御する従来の画像表示装置では、外部機器からソース信号Ｓ１が常時出力されているときには、非使用時においてもランプに対して電力が供給され続けて、電力が無駄に消費される。これに対して、このプロジェクタ１では、リモコン３のキー操作の有無に基づいて電力の供給継続および供給停止を制御している。このため、このプロジェクタ１では、接続されている外部機器（例えば、上記したチューナ３００）からソース信号Ｓ１が常時出力されているとしても（つまりソース信号Ｓ１の出力の有無に拘わらず）、プロジェクタ１の非使用時において電力が無駄に消費される事態を確実に防止することが可能となっている。
【００２７】
また、例えば、プロジェクタ１の使用中に停電が発生して、その後に停電が復旧したときにも、プロジェクタ１に対する商用電力の供給が再開（開始）されるため、この際にも、プロジェクタ１の制御部１８は、上記した電力供給処理５０を実行する。この場合、使用者がメッセージ画像Ｇ２の案内に従ってリモコン３におけるいずれかのキーを操作したときには、制御部１８は、上記したステップ５７において、その旨を判別し、続いて、操作されたキーが解除キー３４であるか否かを判別する（ステップ６０）。この場合、操作されたキーが解除キー３４でないときには、制御部１８は、ステップ６０において、その旨を判別し、次いで、投写部１３を制御してメッセージ画像Ｇ２の投写を停止させて（ステップ６１）、ランプ１３ａに対する電力の供給を継続させた状態で電力供給処理５０を終了する。この場合、このプロジェクタ１では、停止処理を実行する以前にメッセージ画像Ｇ２が投写されるため、使用を継続しようとしたにも拘わらず、所定の時間Ｔが経過した時点で、ユーザーの意に反してランプ１３ａに対する電力の供給が停止される事態が確実に防止される。
【００２８】
また、例えば、次回のメイン電源スイッチ１９の操作時においてダイレクトパワーオン機能を停止させたいときには、メッセージ画像Ｇ２が投写されている状態においてメッセージ画像Ｇ２の案内に従って解除キー３４を操作する。この際には、制御部１８は、上記したステップ６０において解除キー３４が操作された旨を判別して、電力供給制御モードが通常モードに設定された旨を示すモードデータＤｍを記憶部１４に記憶させることによってＤＰＯモードを解除する（ステップ６２）。続いて、制御部１８は、投写部１３を制御してメッセージ画像Ｇ２の投写を停止させて（ステップ６１）、ランプ１３ａに対する電力の供給を継続させた状態で電力供給処理５０を終了する。この場合、このプロジェクタ１では、上記したように、解除キー３４を操作するだけでＤＰＯモードの設定の解除とランプ１３ａに対する電力の供給継続とを同時に行うことができる。このため、利便性を十分に向上させることが可能となっている。
【００２９】
このように、このプロジェクタ１および電力供給制御方法では、ＤＰＯモードが設定されている状態において投写部１３のランプ１３ａに対する電力の供給を開始した時点から時間Ｔ以内にリモコン３における電源キー３１を除くキーのキー操作がされないときにランプ１３ａに対する電力の供給を停止する停止処理を実行する。このため、このプロジェクタ１および電力供給制御方法によれば、非使用時においてランプ１３ａに電力が供給され続ける事態を確実に防止することができる結果、電力の無駄な消費を確実に防止することができる。また、このプロジェクタ１および電力供給制御方法では、リモコン３のキー操作の有無に基づいて電力の供給継続および供給停止を制御している。このため、このプロジェクタ１および電力供給制御方法によれば、外部からの信号の入力有無に基づいてランプに対する電力の供給継続および供給停止を制御している従来の画像表示装置とは異なり、外部からのソース信号Ｓ１の入力有無に拘わらず（外部装置からソース信号Ｓ１が常時出力されているとしても）、非使用時におけるランプ１３ａに対する電力の供給を確実に停止することができる。
【００３０】
また、このプロジェクタ１および電力供給制御方法では、ＤＰＯモードが設定されている状態においてランプ１３ａに対する電力の供給を開始したときに、停止処理を実行する旨の案内画像で構成されたメッセージ画像Ｇ２を投写部１３に投写させる。このため、プロジェクタ１の使用を意図してメイン電源スイッチ１９をオン操作したにも拘わらず、所定の時間Ｔが経過した時点でユーザーの意に反してランプ１３ａに対する電力の供給が停止する事態を確実に防止することができる。
【００３１】
また、このプロジェクタ１および電力供給制御方法では、メッセージ画像Ｇ２を投写させている状態において解除キー３４の操作がされたときにＤＰＯモードの設定を解除する。このため、例えば、ダイレクトパワーオン機能を停止させたいときには、メニュー画像を投写させて設定する煩雑な操作を行うことなく、解除キー３４の操作だけでＤＰＯモードの設定の解除とランプ１３ａに対する電力の供給継続とを同時に行うことができる。
【００３２】
なお、本発明は、上記の構成に限定されない。例えば、天井等に据え付ける大形のプロジェクタ１に適用した例について上記したが、小形のプロジェクタやＤＶＤ等の再生装置一体型のプロジェクタなどの各種のプロジェクタに適用することができる。また、メッセージ画像Ｇ２の内容は上記の内容に限定されず任意に規定することができる。例えば、ランプ１３ａに対する電力の供給を停止する（停止処理を行う）までの残り時間を示す画像を投写させることもできる。また、所定時間後に停止処理を行う旨を音声で報知する構成を採用することもできる。また、本発明における所定のキー操作としては、解除キー３４の操作に限らず、電源キー３１以外の任意のキーの操作であってもよい。
【図面の簡単な説明】
【００３３】
【図１】プロジェクタ１の構成を示すブロック図である。
【図２】プロジェクタ１の使用方法を説明するための説明図である。
【図３】電力供給処理５０のフローチャートである。
【図４】メッセージ画像Ｇ２の投写画面図である。
【符号の説明】
【００３４】
１  プロジェクタ、３  リモコン、１３  投写部、１３ａ  ランプ、１７  電源部、１８  制御部、３１  電源キー、Ｄｍ  モードデータ、Ｇ１  ソース画像、Ｇ２  メッセージ画像、Ｔ  時間
【図１】
2009098242.tif 000003
【図２】
2009098242.tif 000004
【図３】
2009098242.tif 000005
【図４】
2009098242.tif 000006